(57)【特許請求の範囲】
【請求項１】
吊元部と戸当り部との間で伸縮式に開閉される扉体の下部に車輪を設け、且つ該車輪を地面上に敷設したガイドレールでガイドさせながら開閉方向に走行させるようにした伸縮門扉において、
前記地面上の戸当り部に立設した戸当り支柱から吊元部側の方向へ所定間隔だけ離間した箇所までの間では前記ガイドレールを不存在の状態としているとともに、前記ガイドレールの長さは当該ガイドレールを不存在の状態としている前記所定間隔より長くなるようになっており、
前記所定間隔が０．９〜２．２ｍの範囲内にあることを特徴とする、伸縮門扉。
【請求項２】
前記扉体は前記戸当り部側に位置する移動端側格子枠と、前記吊元部側に位置する吊元側格子枠と、前記移動端側格子枠と前記吊元側格子枠の間に位置する複数の中間格子枠とを備えており、前記移動端側格子枠の下端にはキャスターを取り付けている、請求項１記載の伸縮門扉。
【請求項３】
前記キャスターが首振り自在キャスターである、請求項２記載の伸縮門扉。
【発明の詳細な説明】
【技術分野】
【０００１】
本発明は、伸縮自在なパンタグラフ機構によって構成された長尺の伸縮門扉に関し、特に、人、自転車、車椅子利用者等が単独で安全かつスムーズに出入りできる伸縮門扉に関する。
【背景技術】
【０００２】
この種の伸縮門扉として、吊元部と戸当り部との間で伸縮式に開閉される扉体の下部に車輪を設け、且つ該車輪を地面上に敷設したガイドレールでガイドさせながら開閉方向に走行させるようにしたものがある（特許文献１参照。）。
【先行技術文献】
【特許文献】
【０００３】
【特許文献１】特許第４２１６１８０号公報
【発明の概要】
【発明が解決しようとする課題】
【０００４】
しかしながら、上記伸縮門扉では、人、自転車、車椅子利用者等が単独で伸縮門扉を開けて出入りするときに、ガイドレールが障害となって通行が安全かつスムーズに行えない、という問題があった。
【０００５】
本発明は、このような問題を解決するためになされたもので、その目的とするところは、上記のような、吊元部と戸当り部との間で伸縮式に開閉される扉体の下部に車輪を設け、且つ該車輪を地面上に敷設したガイドレールでガイドさせながら開閉方向に走行させるようにした伸縮門扉において、人、自転車、車椅子利用者等が伸縮門扉を開けて出入りするときに、ガイドレールが通行障害となるのを防止できて安全かつスムーズに出入り可能な伸縮門扉を提供することにある。
【課題を解決するための手段】
【０００６】
本発明の伸縮扉は、請求項１に記載のように、吊元部と戸当り部との間で伸縮式に開閉される扉体の下部に車輪を設け、且つ該車輪を地面上に敷設したガイドレールでガイドさせながら開閉方向に走行させるようにした伸縮門扉において、前記地面上の戸当り部に立設した戸当り支柱から吊元部側の方向へ所定間隔だけ離間した箇所までの間では前記ガイドレールを不存在の状態としているとともに、前記ガイドレールの長さは当該ガイドレールを不存在の状態としている前記所定間隔より長くなるようになっており、前記所定間隔が０．９〜２．２ｍの範囲内にあることに特徴を有するものである。
【０００７】
これによると、地面上の戸当り支柱とこの戸当り支柱から吊元部側の方向へ所定間隔だけ離間した箇所までの間では前記ガイドレールを不存在の状態としているので、当該個所で人、自転車、車椅子利用者等が伸縮門扉を開けて出入りするときに、ガイドレールが障害となることなく人、自転車、車椅子等の通行が安全かつスムーズに行える。
【０００８】
また、扉体が伸縮自在で且つ該扉体の車輪を地面上に敷設したガイドレールでガイドさせながら開閉されるので、人、自転車、車椅子利用者等が扉体を軽い操作力で押したり引いたりしてスムーズに横引き開閉させることができる。
【０００９】
請求項１記載の伸縮門扉は、請求項２に記載のように、前記扉体は前記戸当り部側に位置する移動端側格子枠と、前記吊元部側に位置する吊元側格子枠と、前記移動端側格子枠と前記吊元側格子枠の間に位置する複数の中間格子枠とを備えており、前記移動端側格子枠の下端にはキャスターを取り付けるという構成を採用することができる。これによると、移動端側格子枠の地上への垂れ下がりを防止できるとともに、移動端側格子枠の開閉もスムーズに行える。
この場合、前記キャスターには固定キャスター或いは首振り自在キャスターを採用することができる。特に首振り自在キャスターを採用した場合は、扉体の移動端側格子枠と戸当り支柱の接合位置の修正をよりスムーズに行える。
【発明の効果】
【００１０】
本発明によれば、人、自転車、車椅子利用者等が扉体を軽い操作力で押したり引いたりしてスムーズに横引き開閉させることができ、しかも、地面上の戸当り支柱とこの戸当り支柱から吊元部側の方向へ所定間隔だけ離間した箇所までの間ではガイドレールを不存在にするという簡単な手段で、人、自転車、車椅子利用者等が伸縮門扉を戸当り部側で開けて出入りするときに、ガイドレールが障害となることなく人、自転車、車椅子等の通行が安全かつスムーズに行えるという利点がある。
【図面の簡単な説明】
【００１１】
【図１】本発明の一実施例の伸縮門扉を全閉状態で示す平面図である。
【図２】同伸縮門扉を全閉状態で示す正面図である。
【図３】図２における伸縮門扉の左側面図である。
【図４】図２における伸縮門扉の右側面図である。
【図５】同伸縮門扉の移動端側格子枠を示すものであって、(ａ)は移動端側格子枠の正面図、（ｂ）は移動端側格子枠の側面図である。
【図６】同伸縮門扉を全開状態で示す平面図である。
【図７】同伸縮門扉を全開状態で示す正面図である。
【図８】同伸縮門扉を人、自転車、車椅子等の通行可能な状態で示す平面図である。
【図９】同伸縮門扉を人、自転車、車椅子等の通行可能な状態で示す正面図である。
【図１０】移動端側格子枠の他の実施例を示すものであって、(ａ)は移動端側格子枠の正面図、（ｂ）は移動端側格子枠の側面図である。
【図１１】移動端側格子枠の更に他の実施例を示すものであって、(ａ)は移動端側格子枠の正面図、（ｂ）は移動端側格子枠の側面図である。
【図１２】他の実施例の伸縮門扉を人、自転車、車椅子等の通行可能な状態で示す平面図である。
【図１３】他の実施例の伸縮門扉を人、自転車、車椅子等の通行可能な状態で示す正面図である。
【図１４】図１３における伸縮門扉の移動端側格子枠の側面図である。
【図１５】図１３における伸縮門扉の右側面図である。
【発明を実施するための形態】
【００１２】
以下、本発明の好適な実施形態を図面に基づき説明する。
【００１３】
図１〜図４に示すように、本発明に係る伸縮門扉１は扉体２を備え、この扉体２は前後の縦枠３，４を有し且つ移動端側（後記の戸当り支柱側）に位置する移動端側格子枠５と、前後の縦枠３，４を有し且つ後記の吊元部側に位置する吊元側格子枠６と、前後の縦枠３，４を有し且つ移動端側格子枠５と吊元側格子枠６の間に位置する複数の中間格子枠７とを、それぞれの枠の内側で垂直方向でリンク８が交差するパンタグラフ機構９によって連結し、左右方向に伸縮自在に構成してある。移動端側格子枠５には把手１１と、戸当り支柱１２への掛け止め具（図示省略）を設けてある。
【００１４】
適数か所の中間格子枠７の各前後の縦枠３，４の下端に車輪１３を設けてあり、地面には各車輪１３を案内する前後二本のガイドレール１４が平行に敷設してある。ガイドレール１４としては、図３、図４に例示するような断面溝形のガイドレール（フラットレール）、あるいは断面山形のガイドレール等種々の形態のレールを使用することができる。
但し、図１、図２に示すように、地面上の戸当り支柱１２とこの戸当り支柱１２から吊元支柱１０側の方向へ所定間隔Ｗだけ離間した箇所までの間ではガイドレール１４は不存在の状態として当該箇所の地面が前後に連続して平坦な面をなすようにする。ガイドレール１４を不存在の状態とする前記所定間隔Ｗは、当該箇所で人、自転車、車椅子等（図示省略）の出入りを可能にするように、たとえば、０．９〜２．２ｍとする。
【００１５】
移動端側格子枠５の下端には、図２〜図４に示すようにキャスター１５を取り付ける。キャスター１５としては、自在に向きの変わる首振り自在キャスターを使用するか、固定式直進キャスターを採用する。その際、キャスター１５は、図３、図５(ａ)、（ｂ）に示すように、移動端側格子枠５の下端の前後方向中央部に取り付けて、扉体２の開閉時に該キャスター１５が前後のガイドレール１４上を走行せずに、前後のガイドレール１４，１４間の地面上をスムーズに走行するようにしている。なお、図１中、１６は門柱又は塀を示す。
【００１６】
上記のように構成された伸縮門扉１は、吊元支柱１０と戸当り支柱１２との間で伸縮式に開閉される扉体２の車輪１３をガイドレール１４でガイドさせながら開閉方向に走行させることにより図１、図２に示すような全閉状態と、図６、図７に示すような全開状態に切り替えることができる。
【００１７】
人、自転車、車椅子利用者等が出入りするときは、図８、図９に示すように、伸縮門扉１を戸当り部側である戸当り支柱１２側で開けて出入りするが、このとき戸当り支柱１２とこの戸当り支柱１２から吊元部側である吊元支柱１０側の方向へ所定間隔Ｗだけ離間した箇所までの間においてはガイドレール１４を不存在な状態としているので、通行人の足がガイドレール１４に躓いたり、自転車、車椅子等の車輪がガイドレール１４に落ち込んだり、乗り上げたりするようなことがなくて、ガイドレール１４が障害となることなく人、自転車、車椅子等の通行が安全かつスムーズに行える。
【００１８】
上記実施例では移動端側格子枠５の下端の前後方向中央部に首振り自在型又は固定式直進型のキャスター１５を一つだけ取り付けているが、これに代えて、図１０(ａ)、（ｂ）に示すように移動端側格子枠５の前後の縦枠３，４の両下端どうし間に、前後のガイドレール１４，１４間の地面上を走行する首振り自在型又は固定式直進型のキャスター１５を二つ前後に並べて取り付けることもよい。これによれば、扉体２の開閉の安定化の促進に寄与できて有利である。または、図１１(ａ)、（ｂ）に示すように移動端側格子枠５の前側の縦枠３の下端の前側および後側の縦枠４の下端の後側にそれぞれ、前側のガイドレール１４の前側および後側のガイドレール１４の後側の地面上を走行する首振り自在型又は固定式直進型のキャスター１５を取り付けることもよい。これにおいても、同様に扉体２の開閉の安定化の促進に寄与できて有利である。
【００１９】
上記した各実施例では移動端側格子枠５の下端にキャスター１５を取り付けているが、これに代えて、図１２〜図１５に示すようにキャスターを取り付けないものとすることもできる。
また、上記実施例では、扉体２を伸縮させるパンタグラフ機構９には垂直方向でリンク８が交差するパンタグラフ機構９を例示したが、水平方向でリンクが交差するパンタグラフ機構を採用することもできる。
【符号の説明】
【００２０】
１  伸縮門扉
２  扉体
５  移動端側格子枠
１０  吊元支柱（吊元部）
１２  戸当り支柱（戸当り部）
１３  車輪
１４  ガイドレール
１５  キャスター
【図１】
0005409504.tif 000002
【図２】
0005409504.tif 000003
【図３】
0005409504.tif 000004
【図４】
0005409504.tif 000005
【図５】
0005409504.tif 000006
【図６】
0005409504.tif 000007
【図７】
0005409504.tif 000008
【図８】
0005409504.tif 000009
【図９】
0005409504.tif 000010
【図１０】
0005409504.tif 000011
【図１１】
0005409504.tif 000012
【図１２】
0005409504.tif 000013
【図１３】
0005409504.tif 000014
【図１４】
0005409504.tif 000015
【図１５】
0005409504.tif 000016